(57)【要約】【課題】複数頁のサムネールを同時に表示することにより、複数頁を効率的に確認でき、サムネールの画像ファイルと頁毎ＰＤＦファイルのいずれのファイルを使用して表示するかを、システムの環境に応じて切り替えることができ、また、ＰＤＦファイル登録者がサムネールのファイル形式や解像度を選択することができる、ＰＤＦファイル管理サーバー、ＰＤＦファイル管理システム、ＰＤＦファイル管理プログラムが格納されたプログラム製品、及びＰＤＦファイル管理方法を提供することを課題とする。【解決手段】ＰＤＦファイル受信手段と、頁毎ＰＤＦファイル生成手段と、頁毎画像ファイル生成手段と、ファイル格納手段と、表示用データ送信手段とを備える。【選択図】　　　　図１
2004133665.tif 000002
【特許請求の範囲】
【請求項１】
ネットワークに接続される複数のＰＤＦファイル登録端末から発信される複数頁のＰＤＦファイルを、ネットワークを介して受信するＰＤＦファイル受信手段と、前記ＰＤＦファイル受信手段で受信したＰＤＦファイルに基づいて、前記各頁についての頁毎ＰＤＦファイルを生成する頁毎ＰＤＦファイル生成手段と、前記頁毎ＰＤＦファイル生成手段で生成した頁毎ＰＤＦファイルに基づいて、前記各頁毎ＰＤＦファイルについての頁毎画像ファイルを生成する頁毎画像ファイル生成手段と、前記ＰＤＦファイル受信手段で受信したＰＤＦファイルと、前記頁毎ＰＤＦファイル生成手段で生成した頁毎ＰＤＦファイルと、前記頁毎画像ファイル生成手段で生成した頁毎画像ファイルとを格納するファイル格納手段と、ネットワークに接続される複数のＰＤＦファイル閲覧端末からの要求に応じて、前記ファイル格納手段で格納した前記ＰＤＦファイル、頁毎ＰＤＦファイル、及び頁毎画像ファイルに基づいて、前記頁毎画像ファイルのサムネールを前記ＰＤＦファイル閲覧端末で表示する表示用データを、前記ＰＤＦファイル閲覧端末へ向けて送信する表示用データ送信手段とを備えることを特徴とするＰＤＦファイル管理サーバー。
【請求項２】
請求項１に記載のＰＤＦファイル管理サーバーと、前記ネットワークに接続され、前記ＰＤＦファイル管理サーバーに複数頁のＰＤＦファイルを送信するＰＤＦファイル送信手段を具備するＰＤＦファイル登録端末と、前記ネットワークに接続され、前記ＰＤＦファイル管理サーバーに対して前記表示用データの送信を要求する送信要求手段、前記ファイル管理サーバーから前記要求に応じて送信される前記表示用データを受信する表示用データ受信手段、及び、前記表示用データ受信手段で受信した前記表示用データに基づいて頁毎のサムネール一覧を表示する表示手段を具備するＰＤＦファイル閲覧端末とを含むことを特徴とするＰＤＦファイル管理システム。
【請求項３】
ネットワークに接続される複数のＰＤＦファイル登録端末から発信される複数頁のＰＤＦファイルを、ネットワークを介して受信するＰＤＦファイル受信機能と、前記ＰＤＦファイル受信機能で受信したＰＤＦファイルに基づいて、前記各頁についての頁毎ＰＤＦファイルを生成する頁毎ＰＤＦファイル生成機能と、前記頁毎ＰＤＦファイル生成機能で生成した頁毎ＰＤＦファイルに基づいて、前記各頁毎ＰＤＦファイルについての頁毎画像ファイルを生成する頁毎画像ファイル生成機能と、前記ＰＤＦファイル受信機能で受信したＰＤＦファイルと、前記頁毎ＰＤＦファイル生成機能で生成した頁毎ＰＤＦファイルと、前記頁毎画像ファイル生成機能で生成した頁毎画像ファイルとを格納するファイル格納機能と、ネットワークに接続される複数のＰＤＦファイル閲覧端末からの要求に応じて、前記ファイル格納機能で格納した前記ＰＤＦファイル、頁毎ＰＤＦファイル、及び頁毎画像ファイルに基づいて、前記頁毎画像ファイルのサムネールを前記ＰＤＦファイル閲覧端末で表示する表示用データを、前記ＰＤＦファイル閲覧端末へ向けて送信する表示用データ送信機能とを実現するためのコンピュータ読み取り可能なＰＤＦファイル管理プログラムが格納されたプログラム製品。
【請求項４】
ネットワークに接続される複数のＰＤＦファイル登録端末から発信される複数頁のＰＤＦファイルを、ネットワークを介して受信するＰＤＦファイル受信工程と、前記ＰＤＦファイル受信工程で受信したＰＤＦファイルに基づいて、前記各頁についての頁毎ＰＤＦファイルを生成する頁毎ＰＤＦファイル生成工程と、前記頁毎ＰＤＦファイル生成工程で生成した頁毎ＰＤＦファイルに基づいて、前記各頁毎ＰＤＦファイルについての頁毎画像ファイルを生成する頁毎画像ファイル生成工程と、前記ＰＤＦファイル受信工程で受信したＰＤＦファイルと、前記頁毎ＰＤＦファイル生成工程で生成した頁毎ＰＤＦファイルと、前記頁毎画像ファイル生成工程で生成した頁毎画像ファイルとを格納するファイル格納工程と、ネットワークに接続される複数のＰＤＦファイル閲覧端末からの要求に応じて、前記ファイル格納工程で格納した前記ＰＤＦファイル、頁毎ＰＤＦファイル、及び頁毎画像ファイルに基づいて、前記頁毎画像ファイルのサムネールを前記ＰＤＦファイル閲覧端末で表示する表示用データを、前記ＰＤＦファイル閲覧端末へ向けて送信する表示用データ送信工程とを備えることを特徴とするＰＤＦファイル管理方法。
【発明の詳細な説明】
【０００１】
【発明が属する技術分野】
本発明は、複数頁のＰＤＦファイルの管理に関し、詳細には、ＰＤＦファイルの登録、管理、或いは閲覧することが可能なＰＤＦファイル管理サーバー、ＰＤＦファイル管理システム、ＰＤＦファイル管理プログラムが格納されたプログラム製品、及びＰＤＦファイル管理方法に関する。
【０００２】
【従来の技術】
ネットワークで配信されるＰＤＦファイルでは、Ａｃｒｏｂａｔ　Ｒｅａｄｅｒを持たないと、閲覧を行なうことはできない。また、ＰＤＦファイル内の頁の内容を確認する場合、複数頁から成るＰＤＦファイルの場合にＰＤＦファイルの全ての内容を確認するためには、順次頁を切り替える必要があるため、面倒である。
【０００３】
また、ネットワークで配信されるＰＤＦファイルで扱う頁数が大量である場合、目的の頁を探し出すためには、タイトルによる検索等を行なう必要があるが、ＷＷＷブラウザからの閲覧時には検索を使用することができない。更に、頁数が増加すると、検索に要する時間も多大なものとなっている。
【０００４】
【発明が解決しようとする課題】
本発明は、上記状況に鑑みてなされたもので、複数頁のサムネールを同時に表示することにより、複数頁を効率的に確認でき、サムネールの画像ファイルと頁毎ＰＤＦファイルのいずれのファイルを使用して表示するかを、システムの環境に応じて切り替えることができ、また、ＰＤＦファイル登録者がサムネールのファイル形式や解像度を選択することができる、ＰＤＦファイル管理サーバー、ＰＤＦファイル管理システム、ＰＤＦファイル管理プログラムが格納されたプログラム製品、及びＰＤＦファイル管理方法を提供することを課題とする。
【０００５】
【課題を解決するための手段】
上記課題を解決するための本発明に係るＰＤＦ管理サーバーは、ネットワークに接続される複数のＰＤＦファイル登録端末から発信される複数頁のＰＤＦファイルを、ネットワークを介して受信するＰＤＦファイル受信手段と、前記ＰＤＦファイル受信手段で受信したＰＤＦファイルに基づいて、前記各頁についての頁毎ＰＤＦファイルを生成する頁毎ＰＤＦファイル生成手段と、前記頁毎ＰＤＦファイル生成手段で生成した頁毎ＰＤＦファイルに基づいて、前記各頁毎ＰＤＦファイルについての頁毎画像ファイルを生成する頁毎画像ファイル生成手段と、前記ＰＤＦファイル受信手段で受信したＰＤＦファイルと、前記頁毎ＰＤＦファイル生成手段で生成した頁毎ＰＤＦファイルと、前記頁毎画像ファイル生成手段で生成した頁毎画像ファイルとを格納するファイル格納手段と、ネットワークに接続される複数のＰＤＦファイル閲覧端末からの要求に応じて、前記ファイル格納手段で格納した前記ＰＤＦファイル、頁毎ＰＤＦファイル、及び頁毎画像ファイルに基づいて、前記頁毎画像ファイルのサムネールを前記ＰＤＦファイル閲覧端末で表示する表示用データを、前記ＰＤＦファイル閲覧端末へ向けて送信する表示用データ送信手段とを備えることを特徴とするものである。
【０００６】
上記課題を解決するための本発明に係るＰＤＦ管理システムは、請求項１に記載のＰＤＦファイル管理サーバーと、前記ネットワークに接続され、前記ＰＤＦファイル管理サーバーに複数頁のＰＤＦファイルを送信するＰＤＦファイル送信手段を具備するＰＤＦファイル登録端末と、前記ネットワークに接続され、前記ＰＤＦファイル管理サーバーに対して前記表示用データの送信を要求する送信要求手段、前記ファイル管理サーバーから前記要求に応じて送信される前記表示用データを受信する表示用データ受信手段、及び、前記表示用データ受信手段で受信した前記表示用データに基づいて頁毎のサムネール一覧を表示する表示手段を具備するＰＤＦファイル閲覧端末とを含むことを特徴とするものである。
【０００７】
上記課題を解決するための本発明に係るＰＤＦファイル管理プログラムが格納されたプログラム製品は、ネットワークに接続される複数のＰＤＦファイル登録端末から発信される複数頁のＰＤＦファイルを、ネットワークを介して受信するＰＤＦファイル受信機能と、前記ＰＤＦファイル受信機能で受信したＰＤＦファイルに基づいて、前記各頁についての頁毎ＰＤＦファイルを生成する頁毎ＰＤＦファイル生成機能と、前記頁毎ＰＤＦファイル生成機能で生成した頁毎ＰＤＦファイルに基づいて、前記各頁毎ＰＤＦファイルについての頁毎画像ファイルを生成する頁毎画像ファイル生成機能と、前記ＰＤＦファイル受信機能で受信したＰＤＦファイルと、前記頁毎ＰＤＦファイル生成機能で生成した頁毎ＰＤＦファイルと、前記頁毎画像ファイル生成機能で生成した頁毎画像ファイルとを格納するファイル格納機能と、ネットワークに接続される複数のＰＤＦファイル閲覧端末からの要求に応じて、前記ファイル格納機能で格納した前記ＰＤＦファイル、頁毎ＰＤＦファイル、及び頁毎画像ファイルに基づいて、前記頁毎画像ファイルのサムネールを前記ＰＤＦファイル閲覧端末で表示する表示用データを、前記ＰＤＦファイル閲覧端末へ向けて送信する表示用データ送信機能とを実現するためのコンピュータ読み取り可能なものである。
【０００８】
上記課題を解決するための本発明に係るＰＤＦファイル管理方法は、ネットワークに接続される複数のＰＤＦファイル登録端末から発信される複数頁のＰＤＦファイルを、ネットワークを介して受信するＰＤＦファイル受信工程と、前記ＰＤＦファイル受信工程で受信したＰＤＦファイルに基づいて、前記各頁についての頁毎ＰＤＦファイルを生成する頁毎ＰＤＦファイル生成工程と、前記頁毎ＰＤＦファイル生成工程で生成した頁毎ＰＤＦファイルに基づいて、前記各頁毎ＰＤＦファイルについての頁毎画像ファイルを生成する頁毎画像ファイル生成工程と、前記ＰＤＦファイル受信工程で受信したＰＤＦファイルと、前記頁毎ＰＤＦファイル生成工程で生成した頁毎ＰＤＦファイルと、前記頁毎画像ファイル生成工程で生成した頁毎画像ファイルとを格納するファイル格納工程と、ネットワークに接続される複数のＰＤＦファイル閲覧端末からの要求に応じて、前記ファイル格納工程で格納した前記ＰＤＦファイル、頁毎ＰＤＦファイル、及び頁毎画像ファイルに基づいて、前記頁毎画像ファイルのサムネールを前記ＰＤＦファイル閲覧端末で表示する表示用データを、前記ＰＤＦファイル閲覧端末へ向けて送信する表示用データ送信工程とを備えることを特徴とするものである。
【０００９】
【発明の実施の形態】
以下、本発明の好適な実施の形態について、図１を参照して詳細に説明する。なお、本実施形態のＰＤＦファイル管理システムは、ホームページについてのＰＤＦファイル管理システムである。
【００１０】
図１は、本実施形態のＰＤＦファイル管理システムの概略構成を表した図面である。この図１に示されるように、本実施形態のＰＤＦファイル管理システムは、本発明のＰＤＦファイル管理サーバーの一実施形態としてのＷＷＷサーバー１、データベース・サーバー２、及びＲＩＰサーバー３と、ＷＷＷサーバー１にＬＡＮ４又はインターネット５を介して接続され、データを送受信するとともに、送信するデータや受信したデータを表示するＰＤＦ登録端末としてのパーソナル・コンピュータ６ａ、６ｂ、６ｃ、・・・と、ＷＷＷサーバー１にＬＡＮ４又はインターネット５を介して接続され、データを送受信するとともに、送信するデータや受信したデータを表示するＰＤＦ閲覧端末としてのパーソナル・コンピュータ７ａ、７ｂ、７ｃ、・・・とを含んでいる。
【００１１】
ＷＷＷサーバー１は、ＷＷＷサーバー・プログラム及びＰＤＦファイル管理プログラムを実行し、ＬＡＮ４又はインターネット５を介してパーソナル・コンピュータ７ａ、７ｂ、７ｃ、・・・へ、頁毎画像ファイルのサムネールを表示する表示用データその他のウェブ・ページの出力を行なう。
【００１２】
データベース・サーバー２は、ＷＷＷサーバー１から出力されるウェブ・ページのもとになる各種データを保存している。そして、ＷＷＷサーバー１に含まれるＡＳＰプログラムとデータベース・サーバー２に含まれるデータベース・サーバー・プログラムに従って、データの格納、更新、検索、ＷＷＷサーバー１への出力が行なわれるようになっている。
【００１３】
ＲＩＰサーバー３は、ＲＩＰサーバー・プログラムに従って、頁毎画像ファイルの生成、ＷＷＷサーバー１への出力が行なわれるようになっている。
【００１４】
本実施形態においては、ＷＷＷサーバー１は、ＬＡＮ４又はインターネット５に接続されるパーソナル・コンピュータ６ａ、６ｂ、６ｃ、・・・から発信される複数頁のＰＤＦファイルを、ＬＡＮ４又はインターネット５を介して受信し、受信したＰＤＦファイルに基づいて、各頁についての頁毎ＰＤＦファイルを生成し、生成した頁毎ＰＤＦファイルを、ＬＡＮ４に接続されるＲＩＰサーバー３へ向けて送信し、ＲＩＰサーバー３から発信される各頁毎ＰＤＦファイルの頁毎画像ファイルを、ＬＡＮ４を介して受信し、ＰＤＦファイルと、頁毎ＰＤＦファイルと、頁毎画像ファイルをデータベース・サーバー２に格納し、パーソナル・コンピュータ７ａ、７ｂ、７ｃ、・・・からの要求に応じて、データベース・サーバー２に格納されるＰＤＦファイル、頁毎ＰＤＦファイル、及び頁毎画像ファイルに基づいて、頁毎画像ファイルのサムネールをパーソナル・コンピュータ７ａ、７ｂ、７ｃ、・・・で表示する表示用データを、パーソナル・コンピュータ７ａ、７ｂ、７ｃ、・・・へ向けて送信するＰＤＦファイル管理サーバーとして機能する。
【００１５】
本実施形態において、ＷＷＷサーバー１がパーソナル・コンピュータ６ａ、６ｂ、６ｃ、・・・から受信する複数頁のＰＤＦファイルは、ホームページ用のＰＤＦファイルである。
【００１６】
また、ＷＷＷサーバー１は、受信したＰＤＦファイルに基づいてデータベース・サーバー２に格納される頁毎ＰＤＦファイルを生成し新たに格納してデータベース・サーバー２の頁毎ＰＤＦファイルを更新する。
【００１７】
そして、パーソナル・コンピュータ７ａ、７ｂ、７ｃ、・・・からの要求があると、データベース・サーバー２に格納されるＰＤＦファイル、頁毎ＰＤＦファイル、及び頁毎画像ファイルを呼び出し、このＰＤＦファイル、頁毎ＰＤＦファイル、及び頁毎画像ファイルに基づいて表示用データを生成し、パーソナル・コンピュータ７ａ、７ｂ、７ｃ、・・・へ向けて送信する。
【００１８】
ＷＷＷサーバー１が取得しパーソナル・コンピュータ７ａ、７ｂ、７ｃ、・・・に送信する表示用データは、各ＰＤＦファイルの頁毎ＰＤＦファイルと、頁毎ＰＤＦファイルの頁毎画像ファイルの、データベース・サーバー２における位置との関連付けとを含んでおり、ＷＷＷサーバー１は、パーソナル・コンピュータ６ａ、６ｂ、６ｃ、・・・から送信されるＰＤＦファイルでの内容の修正に基づいて、修正されたＰＤＦファイルの頁毎ＰＤＦファイルの生成及びその頁毎画像ファイルを受信し、生成した頁毎ＰＤＦファイル及びその頁毎画像ファイルに基づいて、データベース・サーバー２に格納されるＰＤＦファイル、頁毎ＰＤＦファイル、及びその頁毎画像ファイルを更新する。
【００１９】
図２は、ＷＷＷサーバー１、データベース・サーバー２、及びＲＩＰサーバーを示す機能構成図である。
【００２０】
【発明の効果】
以上、説明したように、本発明に係るＰＤＦファイル管理サーバー、ＰＤＦファイル管理システム、ＰＤＦファイル管理プログラムが格納されたプログラム製品、及びＰＤＦファイル管理方法によれば、
【図面の簡単な説明】
【図１】本発明に係るＰＤＦファイル管理システムの概略構成図である。
【図２】本発明に係るＰＤＦファイル管理システムの概略機能構成図である。
【符号の説明】
１　ＷＷＷサーバー
２　データベース・サーバー
３　ＲＩＰサーバー
４　ＲＩＰサーバー
５　インターネット
６ａ、６ｂ、６ｃ、・・・　パーソナル・コンピュータ
７ａ、７ｂ、７ｃ、・・・　パーソナル・コンピュータ
【図１】
2004133665.tif 000003
【図２】
2004133665.tif 000004